(57)【特許請求の範囲】
【請求項１】
沈殿池が越流樋と導泥渠とを備え、該沈殿池の上澄水を汲み上げて洗浄ノズルから噴射し該越流樋を清掃するための洗浄ポンプを備え、該沈殿池に沈殿した汚泥を、サイホン管を通して前記導泥渠に排出する採泥装置において、
前記サイホン管を通して前記導泥渠に汚泥を排出する際、上澄水を該洗浄ポンプでエゼクタに送り込み、該エゼクタの吸引口から該サイホン管内の空気を吸い込み、該サイホン管の開放端に設けた閉塞機構により該開放端を閉塞して該サイホン管内を負圧とし、該サイホン管内に前記沈殿池に沈殿した汚泥を吸い上げて該閉塞機構により該開放端を開放し、該開放端から該汚泥を前記導泥渠に排出することを特徴とする採泥装置。
【請求項２】
沈殿池が越流樋と導泥渠とを備え、該沈殿池に沈殿した汚泥を該導泥渠に排出する採泥装置において、
前記沈殿池に沈殿した汚泥を吸泥ノズルから吸い上げて開放端から前記導泥渠に排出するためのサイホン管と、
前記沈殿池の上澄水を汲み上げて洗浄ノズルから噴射して前記越流樋を清掃するための洗浄ポンプと、
前記サイホン管の開放端を閉塞する閉塞機構と、
前記サイホン管内の空気を吸い込んで負圧として、汚泥を該サイホン管内へと吸い上げるためのエゼクタと、
前記洗浄ポンプで汲み上げた上澄水の流路を、前記洗浄ノズル側配管路からエゼクタ側の配管路に切り替える電動切替弁とを備え、
汚泥を前記サイホン管を通して導泥渠に送り込む際に、前記電動切替弁を作動させて前記エゼクタ側の配管路に切り替え、前記洗浄ポンプを作動させて上澄水を該エゼクタに供給し、前記サイホン管の開放端を前記閉塞機構で閉塞し、該エゼクタの吸引口から該サイホン管内の空気を吸い込んで負圧とし、汚泥を前記サイホン管で吸い上げて導泥渠に排出することを特徴とする採泥装置。
【請求項３】
請求項１又は２に記載の採泥装置が点検架橋状搬送体に構成されることを特徴とする採泥装置。
【発明の詳細な説明】
【０００１】
【発明の属する技術分野】
本発明は、下水処理設備における沈殿池等に堆積する汚泥の採泥装置に関するものである。
【０００２】
【従来の技術】
従来、採泥装置Ａ′は、点検架橋状搬送体Ｂに設置され、図４の下水処理施設における沈殿池１上部の軌道（図示なし）を移動して、沈殿した汚泥の採集と越流樋の洗浄等を行う装置である。先ず、同図を参照して、沈殿池１の概要について説明する。沈殿池１は、区画壁２と阻流壁３で区画され、区画壁２の上部には、汚泥水を排出するための導泥渠４が設けられ、阻流壁３の上部及び区画壁２の側壁には、それぞれ越流樋５が設けられている。
【０００３】
採泥装置Ａ′は、点検架橋状搬送体Ｂに採泥機構と洗浄機構とが設けられ、採泥機構は、沈殿池１の底部に沈殿した汚泥Ｓをサイホンの原理を利用して、複数の吸泥管６で吸引して、送泥管７を経て導泥渠４に排出する機構であり、洗浄機構は、越流樋５に沈殿池の上澄水を噴霧して洗浄する機構である。
【０００４】
先ず、採泥機構について説明すると、送泥管７の開放端には、閉塞機構８が設けられ、池底部に沈殿した汚泥Ｓを吸引する際、閉塞機構８は、吸泥管６内と送泥管７内の空気を吸引するために、送泥管７の開放端を閉じて、吸引ポンプ９で真空タンク１０内の空気を吸引して、吸泥管６と送泥管７内の空気を吸引することで、沈殿汚泥Ｓが汚泥水として吸泥管６から送泥管７を経て、導泥渠４に搬送されて排出される。なお、吸泥管６と送泥管７とは、一般にサイホン管と称せられる。
【０００５】
次に、洗浄機構について説明すると、洗浄ポンプ１１で沈殿池１から上澄水を汲み上げて、送水配管１２を経てそれぞれ洗浄ノズル１３に送り込まれ、洗浄ノズル１３から噴霧される洗浄水により、越流樋５は、洗浄されている。このように、採泥装置は、吸引ポンプ９と真空タンク１０、並びに洗浄ポンプ１１等が備えられ、沈殿池１の軌道上を移動しながら沈殿汚泥Ｓの採集と越流樋５の洗浄を行う装置である。
【０００６】
【発明が解決しようとする課題】
上記従来の採泥装置Ａ′では、点検架橋状搬送体Ｂに、吸泥管６、送泥管７、送水管１２、洗浄装置１３、吸引ポンプ９、真空タンク１０等が搭載され、比較的煩雑な装置であり、装置を安価なものとするためにも、装置の簡素化が望まれる。また、採泥装置Ａ′は、架橋状搬送体Ｂを沈殿池１上部の軌道上を移動して、汚泥Ｓの排出と越流樋５の洗浄とを行う装置であるので、点検架橋状搬送体Ｂの搭載重量が重くなると、沈殿池１の上部の軌道を移動させるための消費エネルギーが大きなものとなる欠点があり、このような観点からも装置の簡素化が望まれる。
【０００７】
本発明は、上記課題に鑑みなされたものであり、簡素化された構造であり、軽量化され、かつ管理維持が容易な採泥装置を提供することを目的とするものである。
【０００８】
【課題を解決するための手段】
本発明は、上記課題を達成するためになされたものであり、請求項１の発明は、沈殿池が越流樋と導泥渠とを備え、該沈殿池の上澄水を汲み上げて洗浄ノズルから噴射し該越流樋を清掃するための洗浄ポンプを備え、該沈殿池に沈殿した汚泥を、サイホン管を通して前記導泥渠に排出する採泥装置において、
前記サイホン管を通して前記導泥渠に汚泥を排出する際、上澄水を該洗浄ポンプでエゼクタに送り込み、該エゼクタの吸引口から該サイホン管内の空気を吸い込み、該サイホン管の汚泥排出側の開放端に設けた閉塞機構により該開放端を閉塞して該サイホン管内を負圧とし、該サイホン管内に前記沈殿池に沈殿した汚泥を吸い上げて該閉塞機構により該開放端を開放し、該開放端から該汚泥を前記導泥渠に排出することを特徴とする採泥装置である。
【０００９】
請求項１の発明では、既存の越流樋を清掃するために使用されている洗浄ポンプと、真空ポンプであるエゼクタとを利用したものであり、洗浄ポンプで汲み上げた上澄水をエゼクタに供給することで、エゼクタ内を負圧として、サイホン管内の空気を引き抜いて、沈殿池等に沈殿した汚泥をサイホン管で吸い上げ、汚泥を導泥渠に排出するようにした採泥装置であり、エゼクタはその機構が簡便なものであり、吸引ポンプより軽量であって、採泥装置を軽量化することができる。
【００１０】
また、請求項２の発明は、沈殿池が越流樋と導泥渠とを備え、該沈殿池に沈殿した汚泥を該導泥渠に排出する採泥装置において、
前記沈殿池に沈殿した汚泥を吸泥ノズルから吸い上げて開放端から前記導泥渠に排出するためのサイホン管と、
前記沈殿池の上澄水を汲み上げて洗浄ノズルから噴射して前記越流樋を清掃するための洗浄ポンプと、
前記サイホン管の開放端を閉塞する閉塞機構と、
前記サイホン管内の空気を吸い込んで負圧として、汚泥を該サイホン管内へと吸い上げるためのエゼクタと、
前記洗浄ポンプで汲み上げた上澄水の流路を、前記洗浄ノズル側配管路からエゼクタ側の配管路に切り替える電動切替弁とを備え、
汚泥を前記サイホン管を通して導泥渠に送り込む際に、前記電動切替弁を作動させて前記エゼクタ側の配管路に切り替え、前記洗浄ポンプを作動させて上澄水を該エゼクタに供給し、前記サイホン管の開放端を前記閉塞機構で閉塞し、該エゼクタの吸引口から該サイホン管内の空気を吸い込んで負圧とし、汚泥を前記サイホン管で吸い上げて導泥渠に排出することを特徴とする採泥装置である。
【００１１】
請求項２の発明では、既存の洗浄ポンプから汲み上げられた上澄水の輸送経路を、電動切替弁を利用して切り替えることにより、上澄水を越流樋を清掃するために使用したり、或いは上澄水を真空ポンプであるエゼクタに送り込んで、エゼクタ内を負圧として、サイホン管内の空気を引き抜き、沈殿池等の沈殿した汚泥をサイホン管で吸い上げて、汚泥を導泥渠に排出するようにしたものであり、洗浄ポンプで汲み上げた上澄水の輸送経路を、電動切替弁で切り替えことで、越流樋の洗浄と汚泥の吸引とを行うことが可能であり、エゼクタは吸引ポンプより軽量で、かつその機構も簡便であるので、採泥装置を軽量化する。
【００１２】
また、請求項３の発明は、請求項１又は２に記載の採泥装置が点検架橋状搬送体に構成されることを特徴とする採泥装置であって、採泥装置が軽量化されて、採泥装置が搭載された点検橋状搬送体を移動させるのに消費されるエネルギーを抑制することができる。
【００１３】
【発明の実施の形態】
以下、本発明に係る採泥装置の実施の形態を概略図を参照して説明する。図１は、本発明の採泥装置の実施形態を示す概略図であり、図２は、本実施形態で用いられるエゼクタの一例を示す断面図である。
【００１４】
図１において、採泥装置Ａは、点検架橋状搬送体Ｂに設置され、下水処理施設における沈殿池１上部の軌道（図示なし）を移動して、沈殿汚泥の採集と越流樋５の洗浄等を行っている。先ず、同図を参照して、沈殿池１の概要について説明する。沈殿池１は、区画壁２と阻流壁３とで区画され、区画壁２の上部には、汚泥水を排出するための導泥渠４が設けられ、阻流壁３の上部及び区画壁２の側壁には、それぞれ越流樋５が設けられている。
【００１５】
採泥装置Ａは、洗浄機構と採泥機構とが設けられている。先ず、採泥装置Ａの洗浄機構は、沈殿池１に水没させて、上澄水を汲み上げる洗浄ポンプ１１が配管１５を介して電動切替弁１６の流入口Ｉ１に接続され、電動切替弁１６の流出口Ｏ１が送水配管１２に接続されている。送水配管１２には、越流樋５の上部に配置されるように、洗浄ノズル１３が設けられて構成されている。一方、電動切替弁１６の他の流出口Ｏ２には、配管１７が接続され、その他端がエゼクタ１８の供給口１８ａに接続されている。
【００１６】
採泥機構は、沈殿池１の底部に沈殿した汚泥Ｓをサイホンの原理によって、複数の吸泥管６で吸引して、送泥管７を経て導泥渠４に排出する機構であり、汚泥Ｓの吸引には、真空ポンプ（真空吸引手段）であるエゼクタ１６が利用されいる。この採泥機構は、その先端に吸泥ノズル６ａが設けられた吸泥管６が沈殿池１の底部に多数挿入され、吸泥管６の他端がそれぞれ送泥管７に接続されている。
送泥管７の他端は導泥渠４に開放されている。送泥管７の開放端には、閉塞機構８が設けられている。吸泥管６と送泥管７とは、サイホン管を形成している。送泥管７に接続された配管２０は、エゼクタ１６の吸引口１８ｃに接続されている。エゼクタ１６の吐出口１８ｂには、配管１９の一端が接続され、その他端が導泥渠４に開放されている。すなわち、本採泥装置Ａは、電動切替弁１６の流出口Ｏ１を洗浄経路に接続し、かつその流出口Ｏ２を採泥経路に接続して、電動切替弁１６の切り替えによって、洗浄ポンプ１１から取水した上澄水を越流樋５の洗浄に用いたり、サイホン管内の空気を吸引して沈殿汚泥Ｓを排出するための動力源として利用している。
【００１７】
次に、本実施形態の採泥装置の動作について説明する。採泥装置Ａは、点検架橋状搬送体Ｂを移動させながら沈殿汚泥Ｓの導泥渠４への排出と越流樋５の洗浄が行われる。先ず、越流樋５の洗浄について説明すると、電動切替弁１６の流出口Ｏ２を閉じ、流出口Ｏ１を開放し、洗浄ポンプ１１を駆動して沈殿池１の上澄水を取水する。上澄水は、洗浄ポンプ１１から送水配管１２を通して各洗浄ノズル１３に送り込まれ、洗浄ノズル１３から噴射される。上澄水は越流樋５に噴射され、越流樋５は洗浄される。
【００１８】
続いて、採泥装置Ａによる沈殿汚泥Ｓの排出について説明する。サイホン管の開放端である送泥管７の開放端は、閉塞機構８で閉塞される。電動切替弁１６の流出口Ｏ１は閉じられ、流出口Ｏ２は開放される。洗浄ポンプ１１を駆動させて、沈殿池１の上澄水が取水されて、配管１７を通してエゼクタ１８の供給口１８ａからエゼクタ１８内に供給されて、その吐出口１８ｂから排出される。エゼクタ１８の内部は負圧となり、エゼクタ１８の吸引口１８ｃからは、サイホン管である吸泥管６と送泥管７内から空気を吸引して、負圧となる。沈殿汚泥Ｓは、吸泥ノズル６ａから吸泥管６を通して送泥管７に流れ込み、閉塞機構８を駆動して送泥管７を開放して、沈殿汚泥Ｓを導泥渠４に排出する。沈殿汚泥Ｓは、汚泥水として、導泥渠４を流れて排出される。このようにして、採泥装置Ａは、沈殿汚泥Ｓをサイホン管が吸引して、点検架橋状搬送体Ｂを移動させて、沈殿池１の沈殿汚泥Ｓを吸引して排出する。
【００１９】
一方、図２は、本実施形態のエゼクタ１８の一例を示している。エゼクタ１８は、真空ポンプであって、エゼクタ１８には、上澄水を供給する供給口１８ａが設けられ、供給口１８ａには、エゼクタ１８内にノズル１８ｄが挿入され、ノズル１８ｄは、その先端部が絞られた形状である。供給口１８ａから上澄水は、高圧に供給されることで、吸引室１８ｅが負圧となり、吸引口１８ｃからサイホン管内の空気を吸引することができる。無論、エゼクタは、図２に限定するものではない。
【００２０】
また、本発明の採泥装置は、図３の実施形態に示したように、エゼクタ１８の吸引口１８ｃに接続した配管２０から分岐した配管に、それぞれバルブＶ１〜Ｖ４が設けられ、それぞれの分岐配管が送泥管７のそれぞれに接続され、かつ逆止弁（図示なし）が配置されている。同図の実施形態では、エゼクタ１８によって、サイホン管内の空気を吸引する際に、吸泥管６のそれぞれに設けられたバルブＶ１〜Ｖ４を順番に開いて、各吸泥管６と送泥管７内の空気を順番に吸引して、沈殿汚泥Ｓを吸引して導泥渠４に排出しながら全てのバルブＶ１〜Ｖ４を開放して、沈殿汚泥Ｓを排出するようにしてもよい。なお、越流樋５の洗浄方法等は、上記実施形態と同様である。
【００２１】
【発明の効果】
上記記載のように、本発明によれば、従来採泥装置として必要であったサイホン管内の空気を吸引するための吸引ポンプや、サイホン管内の空気を一気に吸引するために必要な真空タンクを、点検架橋状搬送体に設置する必要がないので、採泥装置を簡便な構造とすることができる利点がある。
【００２２】
また、本発明によれば、サイホン管内の空気を電動ポンプを使用することなく、真空ポンプであるエゼクタを利用して吸引するようにしたものであり、汚泥を吸引する動力費用を節約することができ、汚泥処理等の維持管理費を節約することができる利点がある。
【００２３】
さらに、本発明によれば、採泥装置が軽量化されるので、採泥装置が搭載される点検架橋状搬送体を移動させるための動力負荷を軽減することができ、維持管理を抑制することができる。
【図面の簡単な説明】
【図１】本発明に係る採泥装置の一実施形態を説明する概略図である。
【図２】本実施形態のエゼクタの一例を示す概略断面図である。
【図３】本発明に係る採泥装置の他の実施形態を説明する概略図である。
【図４】従来の採泥装置の一例を示す概略図である。
【符号の説明】
Ａ  採泥装置
Ｂ  点検架橋状搬送体
Ｓ  汚泥
１  沈殿池
２  区画壁
３  阻流壁
４  導泥渠
５  越流樋
６  吸泥管
６ａ  吸泥ノズル
７  送泥管
８  閉塞機構
１１  洗浄ポンプ
１２  送水配管
１６  電動切替弁
１７  配管
１８  エゼクタ
１８ａ  供給口
１８ｂ  吐出口
１８ｃ  吸入口
１８ｄ  ノズル
１８ｅ  吸引室
１９  配管
２０  配管
【図１】
0004549551.tif 000002
【図２】
0004549551.tif 000003
【図３】
0004549551.tif 000004
【図４】
0004549551.tif 000005